(57)【要約】【課題】  極めて高精細の静止画像データを極めて高度な表示効果で再生表示しようとする場合であっても、当該動画像を作成した著作者が意図したものが忠実に再生表示される画像再生装置の制御方法を提供する。【解決手段】  画像再生装置に接続された表示装置の画像表示能力及び画像再生装置の画像処理能力のうち少なくとも一方を検知し、検知された能力に基づいて情報記憶媒体から読み出す画像データが選択される。【選択図】        図１１
2005341206.tif 000002
【特許請求の範囲】
【請求項１】
静止画像データと、前記静止画像データを連続動画像として再生表示するための制御指定情報と、前記制御指定情報及び前記静止画像データに基づいて生成された動画像データとが記憶された情報記憶媒体から読み出された画像データに基づく動画像を表示装置に再生表示する画像再生装置の制御方法において、
前記画像再生装置に接続された表示装置の能力を検知する表示能力検知工程と、
前記表示能力検知工程で検知された能力に基づき、前記情報記憶媒体から読み出す画像データを選択する画像データ選択工程と、
前記画像データ選択工程で選択された画像データに基づく動画像表示信号を出力する表示信号出力工程とを含むことを特徴とする画像再生装置の制御方法。
【請求項２】
前記制御指定情報には、前記静止画像データを連続動画像として再生表示するために必要な表示装置の能力が含まれており、
前記画像データ選択工程は、前記制御指定情報に含まれる表示装置の能力と、前記表示能力検知工程で検知された能力とを比較する能力比較工程を含み、
前記能力比較工程での比較結果に基づき、前記情報記憶媒体から読み出す画像データが選択されることを特徴とする請求項１に記載の制御方法。
【請求項３】
静止画像データと、前記静止画像データを連続動画像として再生表示するための制御指定情報と、前記制御指定情報及び前記静止画像データに基づいて生成された動画像データとが記憶された情報記憶媒体から読み出された画像データに基づく動画像を表示装置に再生表示する画像再生装置の制御方法において、
前記画像再生装置の能力を検知する再生能力検知工程と、
前記再生能力検知工程で検知された能力に基づき、前記情報記憶媒体から読み出す画像データを選択する画像データ選択工程と、
前記画像データ選択工程で選択された画像データに基づく動画像表示信号を出力する表示信号出力工程とを含むことを特徴とする画像再生装置の制御方法。
【請求項４】
前記制御指定情報には、前記静止画像データを連続動画像として再生表示するために必要な画像再生装置の能力が含まれており、
前記画像データ選択工程は、前記制御指定情報に含まれる画像再生装置の能力と、前記再生能力検知工程で検知された能力とを比較する能力比較工程を含み、
前記能力比較工程での比較結果に基づき、前記情報記憶媒体から読み出す画像データが選択されることを特徴とする請求項３に記載の制御方法。
【発明の詳細な説明】
【技術分野】
【０００１】
本発明は、画像再生装置の制御方法に関する。
【背景技術】
【０００２】
近年、写真画像に関する様々なサービスが提供されている。例えば、フィルムカメラで撮影した写真画像の場合は、ラボ等のフォトサービス店舗やコンビニエンスストア等の注文店舗にユーザが撮影したネガフィルムを持ち込むと、フォトサービス店舗では、ネガフィルムを現像した後、スキャナ等で画像データを読み取り、読み取った画像データをＣＤ−Ｒ、ＤＶＤ−Ｒ等の情報記憶媒体に書き込んでユーザに提供するサービスが行われている。また、デジタルカメラで撮影した写真画像の場合も、デジタルカメラやデジタルカメラ用の情報記憶媒体に記録された画像データをＣＤ−Ｒ、ＤＶＤ−Ｒ等の情報記憶媒体にバックアップするサービスが行われている（例えば、特許文献１等）。
【０００３】
このようなサービスを利用することにより、ユーザはパーソナルコンピュータ等のコンピュータ機器で写真画像を再生することができ、さらに、スライドショーソフトウェアを用いて写真画像をスライドショーとして効果的に表示したり、電子アルバムソフトウェアを用いて、画像データをアルバムとして整理したり、画像編集ソフトウェアを用いて画像データをユーザの好みに応じて加工する等の様々な処理を行うことができる。
【０００４】
また、ユーザが未現像ネガフィルムや情報記憶媒体を提供すると、フォトサービス店舗で静止画像データを読み取り、予め定めたスライド効果に基づいて動画像データを生成し、情報記憶媒体に、動画像データと静止画像データと必要に応じて楽曲音声データとスライドショー実行プログラムとが書き込まれる動画像データ生成システムが提案されている（例えば、特許文献２参照）。これにより、ユーザはＤＶＤプレーヤー等の家庭用動画再生装置又はパーソナルコンピュータ等のコンピュータ端末のいずれの装置を用いても写真画像を同様の表示効果で楽しむことができるものである。
【特許文献１】特開平５−１８２３７３号公報（第４−６頁、第３図）
【特許文献２】特開２００３−２５９３０３号公報（第１０−１１頁、第１６図）
【発明の開示】
【発明が解決しようとする課題】
【０００５】
しかしながら、近年の静止画像データの高精細化並びに表示効果の高度化は著しく、特許文献２のシステムで作成された情報記憶媒体を再生表示しようとしたときに、極めて高精細の静止画像データを極めて高度な表示効果で再生表示しようとすると、動画像表示信号の処理に時間を要し、動画像表示信号の出力タイミングと楽曲音声データの出力タイミングにずれが生じて、当該動画像を作成した著作者が意図したものとは異なる動画像が再生表示されることになってしまう。
【０００６】
そこで、本発明は、極めて高精細の静止画像データを極めて高度な表示効果で再生表示しようとする場合であっても、当該動画像を作成した著作者が意図したものが忠実に再生表示される画像再生装置の制御方法を提供するものである。
【課題を解決するための手段】
【０００７】
本発明の目的は、下記構成により達成することができる。
【０００８】
請求項１に係る発明は、静止画像データと、前記静止画像データを連続動画像として再生表示するための制御指定情報と、前記制御指定情報及び前記静止画像データに基づいて生成された動画像データとが記憶された情報記憶媒体から読み出された画像データに基づく動画像を表示装置に再生表示する画像再生装置の制御方法において、
前記画像再生装置に接続された表示装置の能力を検知する表示能力検知工程と、
前記表示能力検知工程で検知された能力に基づき、前記情報記憶媒体から読み出す画像データを選択する画像データ選択工程と、
前記画像データ選択工程で選択された画像データに基づく動画像表示信号を出力する表示信号出力工程とを含むことを特徴とする画像再生装置の制御方法である。
【０００９】
請求項２に係る発明は、前記制御指定情報には、前記静止画像データを連続動画像として再生表示するために必要な表示装置の能力が含まれており、
前記画像データ選択工程は、前記制御指定情報に含まれる表示装置の能力と、前記表示能力検知工程で検知された能力とを比較する能力比較工程を含み、
前記能力比較工程での比較結果に基づき、前記情報記憶媒体から読み出す画像データが選択されることを特徴とする請求項１に記載の制御方法である。
【００１０】
請求項３に係る発明は、静止画像データと、前記静止画像データを連続動画像として再生表示するための制御指定情報と、前記制御指定情報及び前記静止画像データに基づいて生成された動画像データとが記憶された情報記憶媒体から読み出された画像データに基づく動画像を表示装置に再生表示する画像再生装置の制御方法において、
前記画像再生装置の能力を検知する再生能力検知工程と、
前記再生能力検知工程で検知された能力に基づき、前記情報記憶媒体から読み出す画像データを選択する画像データ選択工程と、
前記画像データ選択工程で選択された画像データに基づく動画像表示信号を出力する表示信号出力工程とを含むことを特徴とする画像再生装置の制御方法である。
【００１１】
請求項４に係る発明は、前記制御指定情報には、前記静止画像データを連続動画像として再生表示するために必要な画像再生装置の能力が含まれており、
前記画像データ選択工程は、前記制御指定情報に含まれる画像再生装置の能力と、前記再生能力検知工程で検知された能力とを比較する能力比較工程を含み、
前記能力比較工程での比較結果に基づき、前記情報記憶媒体から読み出す画像データが選択されることを特徴とする請求項３に記載の制御方法である。
【発明の効果】
【００１２】
本発明によれば、情報記憶媒体には、スライドショー実行プログラムでスライドショーを実行するための静止画像データ及び制御指定情報と、予め制御指定情報で定めたスライド効果に基づいて生成された動画像データとが記憶されており、画像再生装置に接続された表示装置の画像表示能力及び画像再生装置の画像処理能力のうち少なくとも一方を検知し、検知された能力に基づいて情報記憶媒体から読み出す画像データが選択される。
【００１３】
例えば、表示装置の画像表示能力及び画像再生装置の画像処理能力が十分高ければ、スライドショー実行プログラムでスライドショーが実行され、画像表示能力又は画像処理能力が十分でないと判断されれば、スライド効果に基づいて予め生成された動画像データの再生が実行される。
【００１４】
すなわち、表示装置の画像表示能力及び画像再生装置の画像処理能力のうち少なくとも一方に基づいて、再生表示システムにおけるスライドショーの実行方法が選択されるので、極めて高精細の静止画像データを極めて高度な表示効果で再生表示しようとする場合であっても、当該動画像を作成した著作者が意図したものを忠実に再生表示することが可能となる。
【発明を実施するための最良の形態】
【００１５】
以下、図面に基づき本発明の実施の形態を説明する。
【００１６】
なお、以下の説明で使用する「画像データ」とは静止画像データや動画像データ、画像情報を含むデータの総称である。また、「静止画像データ」とは、１枚の独立した画像データであり、ファイル形式によって、全ての画素のデータがそのまま書かれているものや、冗長度を省いて圧縮したデータとして書かれているものもある。例えば、パーソナルコンピュータ等のコンピュータ機器で表示可能な形式としてはＪＰＥＧ方式で圧縮されたものが一般的であり、ＤＶＤプレーヤーやＤＶＤレコーダー、ゲーム機等の画像再生装置で再生可能な形式としてＶｉｄｅｏ−ＣＤ形式やＤＶＤ−Ｖｉｄｅｏ形式、ＨＤＴＶ形式などがあるが、他の方式で圧縮されたファイルや圧縮されていないファイルであってもよい。
【００１７】
また、「動画像データ」とは、ある一定時間間隔で画像を切り変えて表示するためのデータであり、例えば、ＭＰＥＧなどのファイルでは、基準となる画像のデータは独立したデータとして書かれており、それだけで画像の再現が可能であるが、それ以降は、基準画像との差分だけが記録されるため、基準の画像と比較して初めて画像が再現される。
【００１８】
図１は、本発明に係る画像再生装置を適用した画像データ記録再生システムのシステム構成を示す模式図である。
【００１９】
本発明に係る制御指定情報及び画像データが記憶された情報記憶媒体を作成する入力データ記録装置１、画像再生装置２、本発明に係る画像データに基づくプリント注文を受け付けるプリント受付サーバ３、プリント受付サーバ３で受け付けられたプリント注文に基づいてプリントを実行するプリント装置４、本発明に係る情報記憶媒体を作成する際に、入力データ記録装置１が取得する楽曲音声データを提供する楽曲サーバ５はそれぞれ、通信媒体としてのインターネットや広域ネットワークであるネットワークＮと接続されている。
【００２０】
ＤＶＤレコーダー、ゲーム機、コンピュータ機器、キオスク端末等の入力データ記録装置１では、画像データが入力されるとともに楽曲サーバ５から楽曲音声データが取得され、静止画像や動画像及び楽曲からなるスライドショーの編集が行われた後、静止画像データ、動画像データ、楽曲音声データ及びこれらのデータに基づくスライドショーを再生するための制御指定情報が記憶された情報記憶媒体を作成する。
【００２１】
ＤＶＤプレーヤーやＤＶＤレコーダー、ゲーム機、コンピュータ機器等の画像再生装置２では、本発明に係る情報記憶媒体に記憶された静止画像データ、動画像データ、楽曲音声データ及び制御指定情報に基づいて、静止画像や動画像及び楽曲からなるスライドショーの再生表示が行われるとともに、静止画像データ又は動画像データに基づくプリント注文が行われ、プリント受付サーバ３に対してプリント注文が送信される。
【００２２】
プリント受付サーバ３では、画像再生装置２から送信されたプリント注文が保持され、プリント装置４からの要求に応じて、保持されているプリント注文がプリント装置４に送信される。
【００２３】
コインマシン付きプリンタやキオスク端末等のプリント装置４では、本発明に係る情報記憶媒体から画像データが読み出されるとともに、プリント注文に係る識別情報が読み出され、読み出された識別情報と対応するプリント注文がプリント受付サーバ３から送信され、読み出された画像データ及び送信されたプリント注文に基づいて記録紙上に画像がプリント（プリントが実行）され、実行されたプリントの対価が徴収される。
【００２４】
楽曲サーバ５では、ネットワークＮに接続された図示しないコンピュータから送信された楽曲音声データが保持され、入力データ記録装置１からの要求に応じて、保持されている楽曲音声データが入力データ記録装置に送信される。
【００２５】
入力データ記録装置１の構成について、図２及び図３を参照して説明する。
【００２６】
図２は、図１の画像データ記録再生システムにおける入力データ記録装置１の機能的構成を概念的に示すブロック図である。
【００２７】
入力データ記録装置１は、入力用メディア装填部１０１、入力用情報記憶媒体装填部１０２、機器接続部１０３、通信ネットワークＮを介して図示しない他のコンピュータ機器や楽曲サーバ５と接続されるネットワーク接続部１０４等を用いて画像再生装置やコンピュータ機器等で再生可能な静止画像データや動画像データ、楽曲音声データ等を入力するデータ入力手段１０と、データ入力部１０から入力された画像データに対して、写真画像切り出し処理や文字認識処理等を行う画像処理手段１１、表示部１２１や操作部１２２を用いて、入力した静止画像データや動画像データ、楽曲音声データを用いてスライドショーとして表示するための編集等を行うデータ編集手段１２と、編集したスライドショーのデータを画像再生装置２で再生可能なＶｉｄｅｏ−ＣＤ、ＤＶＤ−Ｖｉｄｅｏ、ＨＤＴＶ等の形式のデータに変換するデータ変換手段１３と、入力したデータや変換したデータ、アプリケーション、コンテンツ等のデータを、画像再生装置２で再生できるように記録順序を制御するデータ転送手段１４と、データ転送手段１４によって転送されたデータを出力用情報記憶媒体１５１ａに書き込むデータ記録手段１５と、入力されたデータを用いてスライドショーを再生するためのスライドショープログラム等のアプリケーションプログラムや入力されたデータに関連するコンテンツ等を記憶する記憶手段１６とを備えている。
【００２８】
なお、ここでは、説明を容易にするためにデータ転送手段１４とデータ記録手段１５とを便宜上別々な手段としているが、これらは一つの手段として構成されていてもよい。また、本実施例では、入力データ記録装置１をデータの入力、編集、変換、記録までを一貫して行う装置として記載するが、本発明の入力データ記録装置１は、入力されたデータを画像再生装置２で再生できるように記録する機能を備えていればよく、上記手段の中でデータ入力手段１０とデータ転送手段１４とデータ記録手段１５とを少なくとも備えていればよい。
【００２９】
図３は、図２で示した入力データ記録装置１の構成を模式的に示す斜視図である。
【００３０】
入力データ記録装置１は、データ入力手段１０に係る入力用メディア装填部１０１、入力用情報記憶媒体装填部１０２、機器接続部１０３及びネットワーク接続部１０４、データ記録手段１５に係る出力用情報記憶媒体装填部１５１、並びにデータ編集手段１２に係る操作部１１２及び表示部１１１とを備えている。
【００３１】
入力用メディア装填部１０１には、スマートメディア、コンパクトフラッシュ（登録商標）、メモリースティック（登録商標）、ＳＤメモリーカード、マルチメディアカードなどの画像データが記録された情報記憶媒体（以下、入力用メディア１０１ａと呼ぶ。）が装填される。入力用情報記憶媒体装填部１０２には、写真フィルムをスキャンして得られた画像データなどが記録された入力用情報記憶媒体１０２ａが装填される。機器接続部１０３には、図示しないデジタルカメラやカメラ付き携帯電話機等の撮影機器（以下、カメラ機能を備えたデジタル機器を撮影機器と呼ぶ。）やスキャナ装置６が有線又は無線、赤外線等によって接続され、これらの機器から画像データが読み出される。
【００３２】
出力用情報記憶媒体装填部１５１には、上述の情報記憶媒体や撮影機器から読み取った画像データを記録するＣＤ−Ｒ／ＲＷやＤＶＤ−Ｒ／ＲＷ、ＤＶＤ−ＲＡＭ、Ｂｌｕ−ｒａｙディスク等の出力用情報記憶媒体１５１ａが装填される。操作部１１２及び表示部１１１では、スライドショーの設定等の操作が行われる。
【００３３】
なお、図１では卓上型の入力データ記録装置１を記載しているが、入力データ記録装置１の形態は任意であり、例えば、コンビニエンスストア等に設置可能なキオスク型の装置としてもよいし、上記手段を備えたパーソナルコンピュータとしたり、専用のセットトップボックスとしたり、ポータブルライターなどとしてもよく、また、記憶手段や演算手段を備えたＤＶＤレコーダーなどとしてもよい。また、本実施例では入力データ記録装置１を単体で動作する装置として記載しているが、例えば、ネガフィルムを現像する装置や現像済みの写真フィルムをスキャンして画像情報を読み取る装置等と合体した装置としてもよい。
【００３４】
上記構成の入力データ記録装置１を用いて、データを入力してから出力用情報記憶媒体１５１ａにデータが記録されるまでの手順について、図４のフローチャートを参照して説明する。
【００３５】
ステップＳ１０１において、入力データ記録装置１の入力メディア装填部１０１や入力用情報記憶媒体装填部１０２にデータが書き込まれた入力用メディア１０１ａやＣＤ−Ｒ／ＲＷやＤＶＤ−Ｒ／ＲＷ、ＤＶＤ＋Ｒ／ＲＷ、ＤＶＤ−ＲＡＭ、Ｂｌｕ−ｒａｙディスク等の入力情報記憶媒体１０２ａが装填されたり、機器接続部１０３にデジタルカメラやカメラ付き携帯電話機等の撮影機器やスキャナ６が接続されたり、ネットワーク接続部１０４を用いて通信ネットワークＮを介して他のコンピュータ機器に接続する等の各種方法により、データ入力手段１０を用いて所望の画像データが入力される。
【００３６】
ここで、入力される画像データは画像再生装置２でスライドショーを再生表示させる際に利用される静止画像データや動画像データ（例えば、静止画像データとしてはＪＰＥＧ、ＢＭＰ、ＪＩＦ、ＴＩＦＦ、Ｅｘｉｆ、ＲＡＷ等、動画像データとしてはＡＶＩ、ＭＯＶ、ＭＰＥＧ１、２、４、７、ＷＭＶなど）が含まれる。また、本実施例の入力データ記録装置１では、データの変換は必ずしも必要ではないため、データ入力手段１０から画像再生装置２用のデータ（例えば、Ｖｉｄｅｏ−ＣＤ形式、ＤＶＤ−Ｖｉｄｅｏ形式、ＨＤＴＶ形式など）が直接入力される構成としてもよい。
【００３７】
ステップＳ１０２において、データ編集手段１２を用いて所定のスライドショー設定画面を表示部１２１に表示し、操作部１２２を用いてスライド表示する画像データの選択、表示順の設定、楽曲音声データの選択、スライド効果の設定、スライドショーと共に再生する動画像データの選択等が行われる。
【００３８】
ステップＳ１０３において、入力データ記録装置１の入力メディア装填部１０１や入力用情報記憶媒体装填部１０２に楽曲音声データが書き込まれた入力用メディア１０１ａや入力情報記憶媒体１０２ａが装填されたり、ネットワーク接続部１０４を用いて通信ネットワークＮを介して楽曲サーバ５に接続する等の各種方法により、データ入力手段１０を用いてステップＳ１０２で選択された楽曲音声データが入力される。
【００３９】
ここで、入力される楽曲音声データは、画像再生装置２でスライドショーを再生表示させる際に利用される楽曲音声データ（例えば、Ａｕｄｉｏ−ＣＤ形式、ＤＶＤ−Ａｕｄｉｏ形式、ＭＰ３形式、ＷＡＶ形式、ＷＭＡ形式、アトラック形式などのデータ）が含まれる。
【００４０】
なお、ステップＳ１０３において、通信ネットワークＮを介して楽曲サーバ５から入力される楽曲音声データに対しては、楽曲サーバ５及び入力データ記録装置１において、楽曲音声データの著作権を管理するためにステップＳ１０４の処理が行われる。
【００４１】
予め楽曲サーバ５には、楽曲音声データが著作権情報と対応付けて登録されており、著作権情報には、楽曲音声データの著作者を識別する著作者情報及び楽曲音声データの使用１回あたりの著作権料を表す課金情報が含まれている。また、楽曲サーバ５には、著作権管理情報として、楽曲音声データ毎の使用実績及び著作者に対する著作権支払実績等が記憶されている。
【００４２】
楽曲サーバ５への楽曲音声データの登録は、ネットワークＮを介して図示しないコンピュータ機器により任意に行うことが可能となっており、楽曲音声データの著作者が、楽曲音声データとともに著作権情報及び課金情報を入力することで行われる。
【００４３】
入力データ記録装置１に装填される出力用情報記憶媒体１５１ａには予め定められた数量の楽曲音声データ使用権が付与されており、楽曲サーバ５から楽曲音声データが入力される際には、楽曲音声データ使用権が書き換えられる。楽曲音声データ使用権の数量が「０（ゼロ）」になると、当該出力用情報記憶媒体１５１ａを装填した状態での楽曲音声データの入力は不可能となる。
【００４４】
一方、楽曲サーバ５では、楽曲音声データが入力データ記録装置１に入力されると、楽曲音声データに対応付けられた著作権情報に基づいて、著作権管理情報の使用実績が書き換えられる。
【００４５】
このようにすることで、楽曲音声データの著作者は確実に楽曲音声データの使用料を受け取ることができるとともに、楽曲音声データの使用実績を用いて楽曲音声データの人気ランキング等を行うことにより、より良質な楽曲音声データが楽曲サーバ５には登録されるようになるものである。
【００４６】
ステップＳ１０５において、データ変換手段１３により、ステップＳ１０２で編集された設定条件に基づいて、入力された画像データ及び楽曲音声データが、画像再生装置２でスライドショーを再生表示させるための制御指定情報及び動画像データに変換される。
【００４７】
データ形式の変換は、例えば、静止画像データに予め定められたスライド効果に基づく差分データを付加する等の手法を用いて、静止画像データから動画像データを作成して画像再生装置２で読み取り可能な形式（Ｖｉｄｅｏ−ＣＤ形式やＤＶＤ−Ｖｉｄｅｏ形式、ＨＤＴＶ形式等）の動画像データへの変換、及び入力された楽曲音声データを画像再生装置２で再生可能な形式（Ａｕｄｉｏ−ＣＤ形式やＤＶＤ−Ａｕｄｉｏ形式、ＭＰ３等）の楽曲音声データへの変換が含まれる。
【００４８】
制御指定情報は、画像再生装置２で実行可能なスライドショー再生表示プログラムに読み込みまれることにより、ステップＳ１０２で編集された設定条件に基づくスライドショーが再生表示させるために必要となる情報で、再生表示の対象となる画像データのファイル名、再生表示の画面サイズ、静止画又は動画の切り替えタイミング、静止画又は動画と同期して再生される楽曲音声データのファイル名及びその再生速度、表示能力情報としてスライドショーを再生表示するために必要とされる画像再生装置に接続される表示手段の解像度及び画面切替速度、表示処理能力として画像再生装置の単位時間あたり演算処理回数、ＣＰＵ（中央演算装置）のクロック数、装着メモリ容量等が含まれている。
【００４９】
動画像データは、スライドショー再生表示プログラムがステップＳ１０２で編集された設定条件に基づいてスライドショーを再生表示するものを擬似的に動画像として再生表示するものであり、ステップＳ１０２で編集された設定条件に基づいて、ステップＳ１０１で入力された静止画像データ及び動画像データに、さらに静止画像や動画像を切り替えるときのスライド効果やタイトル画像の動画像データが付加される。
【００５０】
なお、ステップＳ１０５で変換されて出力される制御指定情報及び動画像データの形式は複数あってもよく、種々の画像再生装置においてスライドショーを再生表示できるように、同じスライドショー動画を表示させるための制御指定情報及び動画像データが複数の形式に変換されていることが好ましい。また、１つの形式で記述された制御指定情報であっても、複数のファイルに分割される場合には、複数のファイルを関連付けるメタファイルが制御指定情報に含まれる。
【００５１】
ステップＳ１０６において、データ記録手段１５により、ステップＳ１０１で入力された画像データ及び楽曲音声データ又はステップＳ１０５で変換された画像再生装置２用の動画像データ、静止画像データを再生するためのアプリケーション、関連付けデータ等の画像再生装置用ファイル群が、出力用情報記憶媒体装填部１５１に装填されたＣＤ−Ｒ／ＲＷやＤＶＤ−Ｒ／ＲＷ、ＤＶＤ＋Ｒ／ＲＷ、ＤＶＤ−ＲＡＭ、Ｂｌｕｅ−ｒａｙディスク等の出力用情報記憶媒体１５１ａの所定領域に書き込まれる。このとき、画像再生装置用ファイル群が、データ転送手段１４により、記憶手段１６に予め設けられた書き込み用の所定のフォルダに一旦転送してファイルの記録順が制御されるようにすることで、画像再生装置２におけるデータ読み出しエラーを抑制することができる。
【００５２】
ステップＳ１０９において、データ記録手段１５によりセッションがクローズされ、処理が終了する。
【００５３】
なお、図４のフローチャートは、出力用情報記憶媒体装填部１５１に出力用情報記憶媒体１５１ａが装填されたり、操作部１１２で所定の操作が行われることにより開始されるものである。また、機器接続部１０３に予め、図示しないクレードルを接続しておき、該クレードルに図示しない撮影機器が載置されると、クレードルに設けられた機器接続部と撮影機器に設けられた撮影機器接続部とが接続され、自動的に図４のフローチャートに示した処理が開始されるようにしてもよい。
【００５４】
図４のステップＳ１０２において表示部１２１に表示されるスライドショー設定画面について、図５を用いて説明する。図５は、図２で示した入力データ記録装置１の表示部１２１に表示される画面の構成例を示す図である。
【００５５】
スライドショー作成メニュー表示画面１７には、画像データを一覧表示する領域１７１と、スライドショーにおけるスライド間隔やスライド効果、スライドショーに際して演奏されるＢＧＭを設定する領域を含むスライドショー設定欄１７２と、スライドショーで再生される画像データを表示する選択画像データ表示欄１７３とが表示される。なお、図５では、画像データとして静止画像データが記録されている場合を示しているが、静止画像データに加えて動画像データが記録されていてもよく、その場合は、一覧表示欄には静止画像データと動画像データとが混在して表示される。この静止画像データと動画像データとはサムネイル画像の下に表示される画像データの拡張子を見て区別することができるが、一見して判別できるように表示形態を変えてもよい。
【００５６】
そして、ユーザは、操作部１２２を用いてスライド表示する画像データの選択、スライドショーの設定、ＢＧＭの設定を行い、選択画像データ表示欄１７３に設けられた作成開始ボタン１７４を押すと、ＣＰＵにスライドショー作成情報が送られ、図４のステップＳ１０３の処理が行われる。
【００５７】
図４のステップＳ１０６でデータ及びプログラムが書き込まれた出力用情報記憶媒体１５１ａについて、図６を用いて説明する。図６は、出力用情報記憶媒体１５１ａのフォルダ構成の一例をツリー構造で示した図である。
【００５８】
データ及びプログラムが書き込まれた出力用情報記憶媒体１５１ａには、画像再生装置でスライドショーを再生表示するためのデータやアプリケーションなどが第１の格納方式で格納される第１ファイル群格納部１８ａと、画像再生装置でスライドショーを再生表示するためのデータやアプリケーションなどが第２の格納方式で格納される第２ファイル群格納部１８ｂと、出力用情報記憶媒体１５１ａの識別情報ファイル（ＩＤ．ｔｘｔ）１８ｃとが含まれる。
【００５９】
第１ファイル群格納部１８ａには、画像再生装置に内蔵されたプログラムでスライドショーを再生表示するための各種データを一括して管理するためのフォルダ（ＨＭＴ）１８１と、第１ファイル群格納部１８ａに格納された静止画像データ及び動画像データの再生順序及び再生効果が記述されたプレイリストファイル群１８ｄと動画像データ群１８ｅとが含まれる。なお、楽曲音声データも動画像データ群１８ｅに含まれる。
【００６０】
ＨＭＴフォルダ１８１の下位の階層には、静止画像データ群（例えば、ＰＩＣＴ０００１．ｊｐｇ）１８２ａを格納するフォルダ（ＩＭＡＧＥＳ）１８２と、プレイリストファイル群１８ｄをスライドショー実行毎に関連付けるメタファイル（０００００００１．ＤＡＴ）１８３ａ及びメタファイル（０００００００２．ＤＡＴ）１８３ｂを格納するフォルダ（ＰＬＡＹＬＩＳＴ）１８３と、静止画像データ群１８２ａやメタファイル群１８３ａ、１８３ｂをさらに関連付けるメタファイル（ＡＵＴＨＯＲ．ＸＭＬ）１８１ａと、第１ファイル群格納部１８ａに格納された動画像データや静止画像データ、プレイリストファイルのインデックス等が記述されたコンテンツファイル（ＣＯＮＴＥＮＴＳ．ＸＭＬ）１８１ｂとが含まれる。
【００６１】
第２ファイル群格納部１８ｂには、スライドショープログラムなどのアプリケーションプログラム（Ｓｌｉｄｅ．ｅｘｅ）１８４ａ及びアプリケーションプログラム１８４ａがスライドショーを再生表示するための制御指定情報であるスライドデータ（０００００００１．ＤＡＴ）１８４ｂ、スライドデータ（０００００００２．ＤＡＴ）１８４ｃが格納されるアプリケーション格納フォルダ（ＡＰＰＬ）１８４と、デザインなどの専用コンテンツや図４のステップＳ１０５で変換された動画像データ（０００００００１．ｍｐｇ）１８５ａ及び動画像データ（０００００００２．ｍｐｇ）１８５ｂが格納されるコンテンツ格納フォルダ（ＣＯＮＴＥＮＴＳ）１８５と、各種データを一括して管理するためのフォルダ（ＰＳ＿ＩＭＡＧＥ）１８６とが含まれる。
【００６２】
ＰＳ＿ＩＭＡＧＥフォルダ１８６の下位の階層には、ロット毎のデータを格納するサブフォルダ１８７、１８８が形成され、サブフォルダ１８７には静止画像データ（Ｒｙｙｍｍｄｄ００００１．ｊｐｇ等）１８７ａやサムネイル画像データ（Ｔｙｙｍｍｄｄ００００１．ｊｐｇ等）１８７１ａが格納されたサムネイル画像フォルダ（ＴＨＭ）１８７１、スクリーン画像データ（Ｓｙｙｍｍｄｄ００００１．ｊｐｇ等）１８７２ａが格納されたスクリーン画像フォルダ（ＳＣＲＥＥＮ）１８７２、ＲＡＷ形式画像データ（Ｗｙｙｍｍｄｄ００００１．ｒａｗ等）１８７３ａが格納されたＲＡＷ画像フォルダ（ＲＡＷ）１８７３、図示しない楽曲音声データなどが格納される。また、サブフォルダ１８８には、静止画像データ（Ｒｙｙｍｍｄｄ００００１．ｊｐｇ等）１８８ａ、テキストデータ（Ｒｙｙｍｍｄｄ００００１．ｊｐｇ等）１８８ｂ、静止画像データ１８８ａとテキストデータ１８８ｂとを関連付けたり、静止画像データ１８８ａ毎のトリミング情報が記述がされた制御データ（Ｒｙｙｍｍｄｄ＿ＣＴＲＬ．ＸＭＬ等）１８８ｃなどが含まれる。
【００６３】
なお、サブフォルダ１８７、１８８の名称は、例えば下記の如き規則でデータ入力記録装置１において作成される。
フォルダ名称：ＰＲ＿ＸＸＸＸＸＸＸ＿ｙｙｍｍｄｄ＿ＴＴＣＣＣＮＮＮ
ＸＸＸＸＸＸＸは、書き込みが行われるロケーション、装置毎の固有ＩＤ情報などのロケーションＩＤ、
ｙｙｍｍｄｄは、書き込み年月日を特定する数字、
ＴＴは、データ入力記録装置１を特定する数字（マシン通し番号など）、
ＣＣＣは、シーケンシャル番号
ＮＮＮは、所定の単位毎（例えば、メディア１０１ａ毎やロール毎やアルバム毎など）のシーケンシャル番号。
【００６４】
図４のステップＳ１０１で行われる画像データ入力の一例として、スキャナを用いたアルバムの読み取りを例に、図７を用いて説明する。図７の説明を行う前に、本実施の形態の概要を説明する。
【００６５】
本実施の形態は、画像データを取得する画像データ取得工程と、
前記画像データ取得工程で取得された画像データを表示装置で表示するときの矩形表示領域を入力する表示領域入力工程と、
前記画像データ取得工程で取得された画像データと、前記表示比率入力工程で入力された矩形表示領域とを対応付けて記憶する記憶工程とを含むことを特徴とする画像処理方法である。
【００６６】
冊子状のアルバムに写真プリントを貼り付けた状態のまま画像読み取りを行って画像データを取得し、電子アルバムを作成することが知られている（例えば、特開平９−１６３３０１号公報参照。）。
【００６７】
また、フィルムスキャナにフィルム画像の読み取り動作を行わせて画像データを取得し、それをモニタ画面に表示制御することも知られている（例えば、特開平１０−２４０９１６号公報参照。）。
【００６８】
取得された画像データを表示装置に表示する際、取得された画像データのアスペクト比（画像の縦横比）と表示装置のアスペクト比とが一致しないことが多い。これに対し、画像データの閲覧ソフトウェアプログラムでは予め画像データの表示方法が設定されており、該設定に基づいて表示装置にトリミング表示又は縮小表示させている。
【００６９】
画像データの作成者が、当該画像データが表示装置に表示される際のトリミング表示又は縮小表示の方法を指定し、表示装置における画像の再生表示をできるだけ作成者の意図どおりのものとしたいという要望がある。
【００７０】
そこで本実施の形態は、画像データに基づいて表示装置に表示される画像をできるだけ画像データ作成者の意図どおりの表現力豊かなものとする画像処理方法を提供するものである。
【００７１】
本実施の形態によれば、取得された画像データと表示装置で表示するときの矩形表示領域とを対応付けて記憶するので、該画像データに基づいて表示装置に画像を表示される際には、矩形表示領域に基づいてトリミング表示、縮小表示又は拡大表示を行うことができ、表示画像を画像データ作成者の意図どおりの表現力豊かなものとすることができる。
【００７２】
また、本実施の形態は、写真プリントと文字情報とを含む原稿画像から画像データを取得する画像データ取得方法において、
前記写真プリントのみを画像ファイルとして取得する第１のモード、前記写真プリント及び前記文字情報とをそれぞれ異なる画像ファイルとして取得し、それぞれの画像ファイルを対応付ける第２のモード、及び前記写真プリント及び前記文字情報とを１つの画像ファイルとして取得する第３のモードからモードを選択するモード選択工程と、
前記モード選択工程で選択されたモードで画像ファイルを取得する画像ファイル取得工程とを含むことを特徴とする画像データ取得方法である。
【００７３】
一般的に、アルバムには写真プリントに加えて、写真プリントに関連するコメントが文字情報として書き込まれており、観察者にとっては写真プリント及びコメントを併せて閲覧することによって、遠い過去の出来事をあたかも昨日の出来事であったかのように想起することができる。
【００７４】
しかしながら、コメントの記述方法や筆記具は種々に亘るものであり、例えば冊子状のアルバムのページ毎に付与されているページ用キャプションは、当該ページに貼り付けられた写真プリントとは分離されてレイアウトしても、観察者は何ら違和感を覚えることはないが、写真プリント毎に付与されている写真用キャプションは、当該写真プリントと分離されてレイアウトすると、観察者が違和感を覚えるレイアウトとなる場合があった。
【００７５】
特に、写真プリントと一部重畳するように写真用キャプションが付与されている場合には、これらを分離してレイアウトすると、冊子状アルバムを作成した作成者の作成意図を全く無視したものとなってしまうものとなってしまう。
【００７６】
そこで本実施の形態は、どのような写真プリントレイアウトであっても、原稿画像であるアルバムの状況に応じて作成者の作成意図を反映した電子アルバムのレイアウトができる画像データ取得方法を提供することを目的とする。
【００７７】
本実施の形態によれば、写真プリントのみを画像ファイルとして取得する第１のモード、写真プリント及び文字情報とをそれぞれ異なる画像ファイルとして取得し、それぞれの画像ファイルを対応付ける第２のモード、及び写真プリント及び文字情報とを１つの画像ファイルとして取得する第３のモードからモードを選択することができるので、原稿画像であるアルバムの状況に応じた画像データの取得が可能となる。
【００７８】
図７は、図２のスキャナ６及び入力データ記録装置１により行われるアルバム画像スキャン処理の流れを示すフローチャートである。
【００７９】
なお、図７のフローチャートは、入力データ記録装置１及びスキャナ６の電源は投入された状態であり、スキャナ６の図示しない原稿読取部には、台紙に写真プリントが貼り付けられ、文字情報であるコメントが記入された原稿画像であるアルバム原稿が設置された状態で、ユーザが入力データ記録装置１に対して処理開始を指示する操作を行ってからのものである。
【００８０】
ステップＳ２０１では、スキャナ６によりアルバム原稿のプレスキャンが行われる。プレスキャンとは、後述の本スキャン設定や、原稿画像に含まれている写真領域や文字領域の判別を行うために、原稿画像を比較的低解像度でスキャンするものであり、ユーザは、プレスキャンで入力された画像を入力データ記録装置１の表示部１２１で確認しながら、本スキャンの設定を行うことができる。
【００８１】
ステップＳ２０２では、入力データ記録装置１のデータ編集手段１２により本スキャン設定が行われる。本スキャン設定は、所定の本スキャン設定画面が入力データ記録装置１の表示部１２１に表示され、操作部１２２を用いて本スキャンする画像の領域選択、コメントの取り込み設定、本スキャンする画像の解像度設定、本スキャンする画像の階調やカラーバランス等の画質設定、本スキャンした画像を液晶ディスプレイ装置等の表示装置に表示するときの表示設定等が入力され、記憶手段１６に記憶される。
【００８２】
コメント取り込み設定は、「コメントを取り込まない」（第１のモード）、「コメントを画像で取り込む」（第２のモード）、「コメントをテキストデータで取り込む」（第３のモード）の何れかが選択される（モード選択工程）。
【００８３】
表示設定は、入力された画像の矩形縦横比と表示装置の表示矩形縦横比が異なる場合に、表示装置で表示される画像のトリミングの有無及びトリミングされた画像の表示方法を入力するもので（表示領域入力工程）、例えば下記の指定が行われる。
（揃えの指定）
ｎｏｎｅ（縦横比を保持しないで画像と表示矩形を一致させる）
ＸＭｉｎＹＭｉｎ（縦横比を保持して画像と表示矩形の左上端を揃える）
ＸＭｉｎＹＭｉｄ（縦横比を保持して画像と表示矩形の上下中央左端を揃える）
ＸＭｉｎＹＭａｘ（縦横比を保持して画像と表示矩形の左下端を揃える）
ＸＭｉｄＹＭｉｎ（縦横比を保持して画像と表示矩形の左右中央上端を揃える）
ＸＭｉｄＹＭｉｄ（縦横比を保持して画像と表示矩形の中央を揃える）
ＸＭｉｄＹＭａｘ（縦横比を保持して画像と表示矩形の左右中央下端を揃える）
ＸＭａｘＹＭｉｎ（縦横比を保持して画像と表示矩形の右上端を揃える）
ＸＭａｘＹＭｉｄ（縦横比を保持して画像と表示矩形の上下中央右端を揃える）
ＸＭａｘＹＭａｘ（縦横比を保持して画像と表示矩形の右下端を揃える）
（余白の指定）
ｍｅｅｔ（画像全体が表示されるようにする）
ｓｌｉｃｅ（余白がなくなるようにする）
ステップＳ２０３では、ステップＳ２０１で入力されたプレスキャン画像に基づいて、写真プリントをスキャンした画像領域と、コメントをスキャンしたコメント領域とが抽出される。
【００８４】
ステップＳ２０４では、ステップＳ２０２で行われたコメント取り込み設定で、コメント取り込みが必要である設定がされたか否か、すなわち第２のモード又は第３のモードが選択されたか否かが判断される。コメント取り込みが必要である設定がされた場合（ステップＳ２０３；ＹＥＳ）、ステップＳ２０５の処理が実行され、コメント取り込みが必要でない設定、すなわち第１のモードが選択された場合（ステップＳ２０３；ＮＯ）、ステップＳ２１５の処理が実行される。
【００８５】
ステップＳ２０５では、アルバム原稿のうちステップＳ２０３で抽出された画像領域に対する本スキャンが行われ、写真プリントをスキャンした画像が入力される。
【００８６】
ステップＳ２０６では、アルバム原稿のうちステップＳ２０３で抽出されたコメント領域に対する本スキャンが行われ、コメントをスキャンした画像が入力される。なお、コメント領域に対する本スキャンは、文字情報を識別しやすくするために、画像領域に対する本スキャンに比べて高コントラストの画質設定がされている。
【００８７】
ステップＳ２０７では、ステップＳ２０２で行われたコメント取り込み設定で、コメントの文字認識処理が必要である設定がされたか否か、すなわち第３のモードが選択されたか否かが判断される。コメントの文字認識処理が必要である設定がされた場合（ステップＳ２０７；ＹＥＳ）、ステップＳ２０８の処理が実行され、コメントの文字認識処理が必要でない設定、すなわち第２のモードが選択された場合（ステップＳ２０７；ＮＯ）、ステップＳ２１２の処理が実行される。
【００８８】
ステップＳ２０８では、画像処理手段１１により、ステップＳ２０５で入力された画像領域の画像データが静止画像ファイルに変換される。
【００８９】
ステップＳ２０９では、画像処理手段１１により、ステップＳ２０６で入力されたコメント領域の画像データに対して文字認識処理が行われ、コメントのテキストファイルが生成される。
【００９０】
ステップＳ２１０では、ステップＳ２０８で変換された静止画像ファイルと、ステップＳ２０９で生成されたテキストファイルとを対応付ける対応付け情報が生成される。
【００９１】
ステップＳ２１１では、ステップＳ２０８で変換された静止画像ファイルと、ステップＳ２０９で生成されたテキストファイルとが記憶手段１６に一次記憶され、図４のステップＳ１０２のスライドショー編集処理が行われる。
【００９２】
ステップＳ２１２では、画像処理手段１１により、ステップＳ２０５で入力された画像領域の画像データ及びステップＳ２０６で入力されたコメント領域の画像データが静止画像ファイルに変換される。
【００９３】
ステップＳ２１３では、ステップＳ２１２で変換された画像領域の静止画像ファイルと、コメント領域の画像ファイルとを対応付ける対応付け情報が生成される。
【００９４】
ステップＳ２１４では、ステップＳ２１２で変換された静止画像ファイルが記憶手段１６に一次記憶される。
【００９５】
ステップＳ２１５では、アルバム原稿のうちステップＳ２０３で抽出された画像領域に対する本スキャンが行われ、写真プリントをスキャンした画像が入力される。
【００９６】
ステップＳ２１６では、画像処理手段１１により、ステップＳ２１５で入力された画像領域の画像データが静止画像ファイルに変換される。
【００９７】
ステップＳ２１７では、ステップＳ２１６で変換された静止画像ファイルが記憶手段１６に一次記憶される。
【００９８】
なお、図７に示した処理で入力された静止画像ファイル及びテキストファイルは、図４のステップＳ１０６で出力用情報記憶媒体１５１ａに書き込まれるときには、冊子状アルバム毎に図６に示したフォルダ１８８に格納される。また、ステップＳ２１０及びＳ２１３で生成された対応付け情報は、図６の静止画像ファイル１８８ａとテキストファイル１８８ｂとを対応付ける対応付け情報として、制御データ１８８ｃの記述の一部に取り込まれる。
【００９９】
また、制御データ１８８ｃには、ステップＳ２０２で設定された表示設定が、トリミング情報として静止画像ファイル１８８ａ毎に対応付けて記述される。
【０１００】
なお、図７に示した処理は、スキャナ６が接続されたデータ入力記録装置１により行われる例で説明したが、スキャナ６に代えて図示しないデジタルカメラが接続されたデータ入力記録装置１でも実行可能であるのは言うまでもない。このとき、ステップＳ２０３の領域抽出処理、ステップＳ２０９の文字認識処理、ステップＳ２１０及びステップＳ２１３の対応付け処理が行われる画像処理手段１１の一部の機能はデジタルカメラの画像処理手段において行われることになる。
【０１０１】
本発明の制御指定情報について、図６に示したスライドデータ（０００００００１．ＤＡＴ）１８４ｂを例に、図８を用いて説明する。
【０１０２】
図８は、図４のステップＳ１０５においてデータ変換手段１３により生成され、図４のステップＳ１０６で出力用情報記憶媒体１５１ａに書き込まれたスライドデータ（０００００００１．ＤＡＴ）１８４ｂの一例を模式的に示した図である。
【０１０３】
制御指定情報であるスライドデータ１８４ｂは、ヘッダセクション１９１、スライドセクション１９２、ベースセクション１９３、１９４、１９５からなり、各セクションには複数のパラメータが記述されている。なお、ベースセクションはスライドショーに登録された各画像ファイル毎に複数存在する。
【０１０４】
ヘッダセクション１９１には、ファイルＩＤ１９１ａ、ファイル長１９１ｂ、セクション数１９１ｃ、パラメータ数１９１ｄが記述される。
【０１０５】
スライドセクション１９２には、図４のステップＳ１０２で編集された設定条件のうち、スライドショー全体に関連するパラメータが記述され、本実施の形態では、表示能力情報としてスライドショーを再生表示するために必要とされる表示手段の解像度下限である許容解像度１９２ａ、表示能力情報としてスライドショーを再生表示するために必要とされる表示手段の画面切替速度下限である許容画面切替速度１９２ｂ、表示処理能力として画像再生装置のＣＰＵのクロック周波数下限である許容クロック数１９２ｃ、表示処理能力として画像再生装置の装着メモリ容量下限である許容メモリ容量１９２ｄ、スライドショーで表示される画像ファイル名を指定する表示ファイル名１９２ｅ、スライドの表示効果を指定するスライド効果１９２ｆが記述される。
【０１０６】
ベースセクションには、画像ファイルを示すファイル名１９３ａ、画像の表示順を指示するレイアウト番号１９３ｂ、スライド内の画像の表示位置を表すスライドポジション１９３ｃ、画像の表示位置Ｘ，Ｙ情報１９３ｄ、表示サイズＳＸ，ＳＹ情報１９３ｅ、表示色数情報１９３ｆ、表示時間１９３ｇ、表示効果を指定する表示効果１９３ｈが記述される。
【０１０７】
なお、スライドショーと同期して再生される楽曲音声データのファイル名及びその再生速度は、スライド効果１９２ｆに記述されるが、さらにベースセクション１９３に楽曲音声データの再生パラメータが記述されていてもよい。
【０１０８】
本発明に係る画像再生装置の構成及び動作について、図９〜図１２を参照して説明する。
【０１０９】
図９は、本発明に係る画像再生装置２の機能的構成を概念的に示すブロック図である。なお、図２に示したデータ入力記録装置１における各部と同じ機能を有する機能は以後の説明を省略する。
【０１１０】
画像再生装置２は、制御部２０、表示装置２２が接続された画像処理部２１、記憶部２３、画像再生装置２を操作するリモコン２５との間で信号を送受信するリモコンインタフェース２４、ネット接続部２６、出力用情報記憶媒体１５１ａが装填されて出力用情報記憶媒体１５１ａに記憶された各種データ及びプログラムが入力されるデータ入力部２７から構成され、各部はバス２８により接続されている。
【０１１１】
制御部２０は、図示しないＣＰＵ、ワークメモリ等から構成され、記憶部２３に記憶されているプログラムをワークメモリに読み出し、当該プログラムに従って画像再生装置２の各部を集中制御する。
【０１１２】
また制御部２０は、データ入力部２７から入力されたプログラム又は記憶部２３に記憶されたプログラムに従って、出力用情報記憶媒体１５１ａに記憶された画像データ、音声楽曲データ、制御指定情報等を読み出して、スライドショーを表示装置２２に再生表示させるスライドショー再生部２０１、プログラムに従って出力用情報記憶媒体１５１ａに記憶された画像データを図１のプリント装置４又は図示しないプリンタにプリントさせるための処理を行うプリント注文部２０２及びプログラムに従ってリモコン２５の操作設定を行うリモコン設定部２０３としての機能を有する。
【０１１３】
画像処理部２１は、図示しないＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やビデオメモリ等から構成され、画像データの表示フォーマット（画素数、フレーム周波数、走査方式）を変換したり、静止画像データをプレーン管理して描画し、ビデオ信号を表示装置２２に出力する。
【０１１４】
図１０は図９に示したリモコン２５を示す概略構成図である。
【０１１５】
リモコン２５は、電源キー２５１、上下左右キー２５２、決定キー２５３、メニューキー２５４、番号キー２５５及び表示部２５６を備えており、リモコン２５において操作された操作キーのキーコード（上下左右、数字等）が赤外線や電波等の無線信号に変換されて図示しないインタフェースから出力され、無線信号が画像再生装置２のリモコンインタフェース２４で受け取られ、キーコードに逆変換された後、制御部２０に出力される。またリモコン２５は、画像再生装置２のリモコンインタフェース２４から送信された無線信号を受信し、受信した信号に基づく情報を表示部２５６に表示する。
【０１１６】
図９に示した画像再生装置の動作の一例を図１１を用いて説明する。図１１は、画像再生装置２により実行されるスライドショー再生処理の流れを示すフローチャートである。なお、図１１のフローチャートは、画像再生装置２のデータ入力部２７に出力用情報記憶媒体１５１ａが装填された状態であり、画像再生装置２の電源が投入された状態からのものである。
【０１１７】
ステップＳ３０１では、データ入力部２７から出力用情報記憶媒体１５１ａに記憶されたスライドショープログラム（例えば、図６に示したプログラム１８４ａ）が読み出される。なお、読み出されるスライドショープログラムは、記憶部２３に予め記憶されたものであってもよい。
【０１１８】
ステップＳ３０２では、ステップＳ３０１で読み出されたプログラムに従って、リモコン設定部２０３によりリモコン２５のリモコン設定が行われる。
【０１１９】
リモコン設定は、例えば図１２に示すようなリモコン設定画面２９が表示装置２２に表示され、リモコン２５の各種キーを操作することによってリモコン２５の各種キーに対する機能の割り当てが行われる。
【０１２０】
リモコン設定画面２９において、キー画像２９１はリモコン２５の上下左右キー２５２及び決定キー２５３を模式化した画像である。上キー設定部２９２では、上下左右キー２５２のうちの上キーへの機能割り当てを行うための機能選択肢が表示され、割り当てられた機能のチェックボックス２９２ａは反転表示され、表示されていない機能を割り当てる場合には矢印表示２９２ｂが選択されると機能選択肢がスクロールする。右キー設定部２９３では、上キー設定部２９２と同様に、右キーの機能選択肢が表示され、チェックボックス２９３ａの反転表示で選択された機能が確認され、矢印表示２９３ｂ、２９３ｃにより機能選択肢がスクロールする。下キー設定部２９４、左キー設定部２９５も、上キー設定部２９２と同様の動作を行う。
【０１２１】
リモコン設定画面２９において機能選択が完了すると、リモコン２５の決定キー２５３が押され、リモコン２５の各種キーに対する機能割り当てが記憶部２３に記憶され、以後のリモコン２５の操作においては、出力用情報記憶媒体１５１ａが取り出されるまでは、各種キーに対する機能割り当てが継続される。なお、複数セットの機能割り当てを記憶できるようにしておき、利用するユーザによって自分の好みの機能割り当てを読み出せるようにしてもよい。
【０１２２】
ステップＳ３０３では、出力用情報記憶媒体１５１ａに記憶された画像データのインデックス情報（例えば、図６のスライドデータ１８４ｂ）が読み出され、インデックス情報がリモコン２５に送信され、リモコン２５の表示部２５６には、出力用情報記憶媒体１５１ａに記憶されたスライドショーの一覧が表示される。このようにすることで、ユーザは容易に出力用情報記憶媒体１５１ａに記憶された画像データの概要を知ることができる。
【０１２３】
ステップＳ３０４では、スライドショー再生部２０１により画像再生装置２に接続された表示装置２２の表示能力が検知され、出力用情報記憶媒体１５１ａに記憶されたスライドショーを再生するに足る能力であるか否かが判断される。
【０１２４】
例えば、表示装置２２の解像度及び画面切替速度が検知され、出力用情報記憶媒体１５１ａに記憶されたスライドショー設定情報（例えば、図６のスライドデータ１８４ｂ）のうち、画像表示能力情報（例えば、図８の許容解像度１９２ａ、許容画面切替速度１９２ｂ）と対比される。
【０１２５】
表示装置２２の表示能力がスライドショーを再生するに足る能力であると判断されると（ステップＳ３０４；ＹＥＳ）、ステップＳ３０５の処理が実行され、再生するに足る能力でないと判断されると（ステップＳ３０４；ＮＯ）ステップＳ３０９の処理が実行される。
【０１２６】
ステップＳ３０５では、スライドショー再生部２０１により画像再生装置２の処理能力が検知され、出力用情報記憶媒体１５１ａに記憶されたスライドショーを再生するに足る能力であるか否かが判断される。
【０１２７】
例えば、画像再生装置２のＣＰＵのクロック周波数及びビデオメモリの容量が検知され、出力用情報記憶媒体１５１ａに記憶されたスライドショー設定情報（例えば、図６のスライドデータ１８４ｂ）のうち、画像処理能力情報（例えば、図８の許容クロック数１９２ｃ、許容メモリ容量１９２ｄ）と対比される。
【０１２８】
画像再生装置２の処理能力がスライドショーを再生するに足る能力であると判断されると（ステップＳ３０５；ＹＥＳ）、ステップＳ３０６の処理が実行され、再生するに足る能力でないと判断されると（ステップＳ３０５；ＮＯ）ステップＳ３０９の処理が実行される。
【０１２９】
ステップＳ３０６では、スライドショー再生部２０１により、出力用情報記憶媒体１５１ａに記憶された複数の格納方式のファイル群うち、優先的に再生表示される格納ファイル群が判断される。具体的には、予め記憶部２３に記憶された情報に基づいて判断され、出力用情報記憶媒体１５１ａにおいては、図６に示した第１の格納方式で格納される第１ファイル群格納部１８ａと、第２の格納方式で格納される第２ファイル群格納部１８ｂのうちの何れかの格納方式で格納されたファイル群が優先的に再生表示される。
【０１３０】
第１の格納方式が優先されると判断されると（ステップＳ３０６；ＹＥＳ）、ステップＳ３０７の処理が実行され、第２の格納方式が優先されると判断されると（ステップＳ３０６；ＮＯ）ステップＳ３０８の処理が実行される。
【０１３１】
ステップＳ３０７では、スライドショー再生部２０１により、出力用情報記憶媒体１５１ａに書き込まれた複数の格納方式のファイル群のうち、第１ファイル群格納部１８ａに第１の格納方式で格納された、静止画像データ群１８２ａ、楽曲音声データを含む動画像データ群１８ｅ、及び制御指定情報であるプレイリストファイル群１８ｄ、メタファイル１８３ａ、１８３ｂ、メタファイル１８１ａが読み出され、これらに基づくスライドショーが表示装置２２に再生表示される。
【０１３２】
ステップＳ３０８では、スライドショー再生部２０１により、出力用情報記憶媒体１５１ａに書き込まれた複数の格納方式のファイル群のうち、第２ファイル群格納部１８ｂに第２の格納方式で格納された、静止画像データ群１８７ａ、１８８ａ、サブフォルダ１８７、１８８に格納された図示しない楽曲音声データ、及び制御指定情報であるスライドデータ１８４ｂ、１８４ｃが読み出され、これらのデータに基づくスライドショーが表示装置２２に再生表示される。
【０１３３】
ステップＳ３０９では、スライドショー再生部２０１により、出力用情報記憶媒体１５１ａに書き込まれた動画像データ１８５ａ、１８５ｂが読み出され、これらのデータに基づく動画像が表示装置２２に再生表示される。なお、ステップＳ３０９で再生表示される動画像は、ステップＳ３０８及びステップＳ３０９で表示装置２２に再生表示されるスライドショーと同じ表示効果が再生表示されるが、表示される画像の解像度や表示色数が画像再生装置２や表示装置２２の能力に見合ったものとなっている。
【０１３４】
本発明の他の実施の形態として、出力用情報記憶媒体１５１ａに書き込まれた画像データのプリント注文及びプリント実行について、図１３〜図１９を用いて説明する。
【０１３５】
本実施の形態は、（１）予め識別情報が付与された情報記憶媒体を着脱可能に有する情報処理装置において、前記情報記憶媒体に書き込まれた画像データを読み出す画像データ読み出し工程と、
前記画像データ読み出し工程で読み出された画像データに基づくプリント注文を生成するプリント注文生成工程と、
前記プリント注文生成工程で生成されたプリント注文に、前記情報記憶媒体に予め付与された識別情報を対応付けて、通信媒体を介して記憶装置に送信するプリント注文送信工程と、
前記通信媒体に接続された記憶装置において、前記プリント注文送信工程で送信されたプリント注文を記憶するプリント注文記憶工程と、
予め識別情報が付与された情報記憶媒体を着脱可能に有するプリント装置において、前記情報記憶媒体に予め付与された識別情報を読み出す識別情報読み出し工程と、
前記識別情報読み出し工程で読み出された識別情報に対応付けられたプリント注文を前記記憶装置から読み出すプリント注文読み出し工程と、
前記プリント注文読み出し工程で読み出されたプリント注文に基づいてプリントを実行するプリント実行工程とを含むことを特徴とするプリント方法である。
【０１３６】
また、本実施の形態は、（２）通信媒体を介して送信されたプリント注文に基づいてプリントを実行するプリント装置において、
着脱可能な情報記憶媒体に予め付与された識別情報を読み出す識別情報読み出し手段と、
前記識別情報読み出し手段で読み出された識別情報に対応付けられたプリント注文を読み出すプリント注文読み出し手段と、
前記プリント注文読み出し手段で読み出されたプリント注文に基づいてプリントを実行するプリント手段とを有することを特徴とするプリント装置である。
【０１３７】
デジタルカメラで撮像された画像のプリント注文をより簡単に行えるようにするために、プリント受付処理時に、デジタルカメラや情報記憶媒体に、デジタルカメラが撮影した画像データと対応付けられた識別情報を記憶させ、プリント引き渡し時に、デジタルカメラや情報記憶媒体に記憶された識別情報を用いてプリント受付の認証を行うことが知られている（例えば特開２００２−１９１００１号公報参照。）。このようにすることで、プリント注文を受け付ける際に、プリントを受け取るまでのＩＤや伝票等の面倒な管理が不要となり、プリント注文の受付／処理が容易になるものである。
【０１３８】
しかしながら、特開２００２−１９１００１号公報の方法では、記憶された情報を書き換え可能な情報記憶媒体やデジタルカメラをユーザが所持している場合には、ＩＤや伝票等の管理が不要となるものであるが、セッションクローズされたＣＤ−Ｒの如く、記憶された情報を書き換えることも、新たな情報を追記することもできない情報記憶媒体しかユーザが所持していない場合には、依然としてＩＤや伝票等の管理が必要であった。
【０１３９】
そこで、本実施の形態は、記憶された情報を書き換えることも、新たな情報を追記することもできない情報記憶媒体しかユーザが所持していない場合であっても、プリント注文及び当該プリント注文の認証を簡単に行うことができるプリントシステムならびプリント方法を提供するものである。
【０１４０】
本実施の形態によれば、情報記憶媒体に予め付与された識別情報を読み出し、当該読み出された識別情報に対応付けられたプリント注文を記憶装置から読み出してプリントを実行するので、記憶された情報を書き換えることも、新たな情報を追記することもできない情報記憶媒体しかユーザが所持していない場合であっても、プリント注文及び当該プリント注文の認証を簡単に行うことができる。
【０１４１】
また、プリント注文は、画像データが記憶されたＣＤやＤＶＤ、リムバブルメモリ等の情報記憶媒体単位でまとめて行われることが多く、本実施の形態では、１つの情報記憶媒体に唯一、予め付与された識別情報でプリント注文を認証するので、プリント注文を行うユーザに対して何ら違和感を与えることなく、プリント注文の認証及びプリントの実行が可能となる。
【０１４２】
なお、本実施の形態においてプリントの実行とは、プリンタ等のプリント装置による、プリント注文に基づく紙等の記録材上への画像形成に加え、該プリント注文に基づき画像形成された記録材の引き渡しも含むものである。本実施の形態において情報処理装置は、画像再生装置２が相当する。
【０１４３】
さらに、情報記憶媒体の装着をトリガとして、プリント装置による情報記憶媒体上へのプリント注文に基づく画像形成が行われる場合には、プリント装置は、情報記憶媒体に記憶された画像データ及び記憶装置に記憶されたプリント注文に基づいてプリントを実行することができ、プリント注文送信工程において通信媒体の伝送速度が十分に得られない場合であっても、大容量となる高精細な画像データはプリント実行工程において情報記憶媒体から読み出すようにすればよいので、迅速なプリント注文の受付及び高画質のプリント実行が可能となる。
【０１４４】
本実施の形態に係る記憶装置であるプリント受付サーバについて図１３を用いて説明する。図１３は、図１の画像データ記録再生システムにおけるプリント受付サーバ３の機能的構成を概念的に示すブロック図である。
【０１４５】
プリント受付サーバ３は、制御部３０、記憶部３１、通信媒体であるネットワークＮに接続されたネット接続部３２から構成され、各部はバス３３により接続される。
【０１４６】
制御部３０は、図示しないＣＰＵ、ワークメモリ等から構成され、記憶部３１に記憶されているプログラムをワークメモリに読み出し、当該プログラムに従ってプリント受付サーバ３の各部を集中制御する。また、制御部３０は、記憶部３１に記憶されるプリント注文を検索するプリント注文検索手段３０１及びプリント注文の課金処理を行う課金処理手段３０２としての機能を有する。
【０１４７】
記憶部３１は、プログラムやデータ等が予め記憶されている記憶媒体（図示せず）を有しており、この記憶媒体は磁気的、光学的記憶媒体、若しくは半導体メモリで構成されている。また、記憶部３１は、プリント注文記憶手段３１１としての機能をを有しており、プリント注文記憶手段３１１は、プリント注文を識別情報に対応付けて格納する。
【０１４８】
本実施の形態に係るプリント装置について図１４を用いて説明する。図１４は、図１の画像データ記録再生システムにおけるプリント装置４の機能的構成を概念的に示すブロック図である。
【０１４９】
プリント装置４は、制御部４０、プリント部４１、プログラムやデータ等が予め記憶されている記憶部４２、コインマシン４３、操作表示部４４、通信媒体であるネットワークＮに接続されたネット接続部４５、出力用情報記憶媒体１５１ａが装填されて出力用情報記憶媒体１５１ａに記憶された各種データが入力されるデータ入力部４６から構成され、各部はバス４７により接続される。
【０１５０】
制御部４０は、記憶部４２に記憶されているプログラムをワークメモリに読み出し、当該プログラムに従ってプリント装置４の各部を集中制御するとともにプリント部４２に画像信号を出力する。また、制御部４０は、ネットワークＮを介してプリント受付サーバ３からプリント注文を読み出すプリント注文読み出し手段４０１としての機能を有する。
【０１５１】
本実施の形態のプリント手段として機能するプリント部４１は、電子写真方式やインクジェット方式により、記録材上に制御部４０から出力される画像信号に基づく画像を形成する。
【０１５２】
コインマシン４３は、一般にコインメックと呼ばれ、投入硬貨や紙幣の種別を判別して入金を管理するとともに、精算後に釣り銭の払い出しを行う。
【０１５３】
操作表示部４４は、透明電極が格子状に配置された感圧式（抵抗膜圧式）のタッチパネル等により構成し、各種情報の表示や操作入力が可能となっている。
【０１５４】
本実施の形態における情報処理装置である画像再生装置の動作の一例を図１５を用いて説明する。図１５は、画像再生装置２により実行されるプリント発注処理の流れを示すフローチャートである。なお、図１５のフローチャートは、画像再生装置２のデータ入力部２７に出力用情報記憶媒体１５１ａが装填された状態であり、画像再生装置２のリモコン２５によりプリント注文処理を指示する操作を行ってからのものである。
【０１５５】
ステップＳ４０１では、画像再生装置２のデータ入力部２７により、出力用情報記憶媒体１５１ａに書き込まれた画像データが読み出され、画像再生装置２のプリント注文部２０２により、表示装置２２には、図１６に示したようなプリント注文画面が表示される。
【０１５６】
図１６において、プリント注文画面３４は、出力用情報記憶媒体１５１ａから読み出された画像データのサムネイル画像を表示するサムネイル画像表示部３４２、プリントサイズを選択するサイズ選択部３４３、プリント枚数を指定するプリント枚数入力部３４４からなる注文画像選択部３４１と、注文ボタン３４５と、キャンセルボタン３４６から構成されている。
【０１５７】
図１５に戻り、ステップＳ４０２では、プリント注文画面３４が表示された状態で、リモコン２５の上下左右キー２５２及び決定キー２５３が操作されて、プリントする画像のサムネイル画像表示部３４２が押下されることで、プリントする画像が選択される。
【０１５８】
ステップＳ４０３では、リモコン２５の各種キーにより、ステップＳ４０２で選択された画像のプリント注文内容が入力される。図１６では、サイズ選択部３４３及びプリント枚数入力部３４４が押下され、リモコン２５のテンキー２５５によりパラメータの入力が行われる。なお、ステップＳ４０２の画像選択とステップＳ４０３のプリント注文内容入力は、プリントする画像の数だけ繰り返され、プリントする全ての画像の選択が完了すると、注文ボタン３４５が押下され、ステップＳ４０４の処理が実行される。また、プリントをキャンセルする場合にはキャンセルボタン３４６が押下され、プリント注文処理は終了される。
【０１５９】
ステップＳ４０４では、プリント注文部２０２により、表示装置２２に図１７に示すような注文内容確認画面３５が表示され、ステップＳ４０３で入力されたプリント内容の確認が行われる。
【０１６０】
図１７において、注文内容確認画面３５では、注文内容３５１が表示され、ユーザに注文内容の確認を促す。注文内容に相違がなければ、ＯＫボタン３５２が押下され、ステップＳ４０６の処理が実行され、キャンセルボタン３５３が押下された場合には、図１６のプリント注文画面３４が表示され、ステップＳ４０２の処理に戻る。なお、クレジット決済ボタン３５４が押下されると、図示しないクレジットカード決済画面が表示されるとともに、ネットワークＮを介してプリント注文料金の課金処理がプリント受付サーバ３の課金手段３０２において行われる。
【０１６１】
図１５に戻り、ステップＳ４０５では、データ入力部２７により、出力用情報記憶媒体１５１ａに記憶された出力用情報記憶媒体１５１ａの識別情報（図６のＩＤ．ｔｘｔ）が読み出される。識別情報は、出力用情報記憶媒体１５１ａそれぞれに固有のものであり、出力用情報記憶媒体１５１ａが製造又は作成される際に付与されたものである。
【０１６２】
ステップＳ４０６では、プリント注文部２０２により、ステップＳ４０２で選択された画像に対応する画像データとステップＳ４０３で入力されたプリント注文内容とが対応付けられたプリント注文が生成される。なお、プリント注文は、例えばＤＰＯＦ（Ｄｉｇｉｔａｌ  Ｐｒｉｎｔ  Ｏｒｄｅｒ  Ｆｏｒｍａｔ）ｖｅｒｓｉｏｎ１．１０に規定された形式で記述された情報であり、選択された画像データのファイル名、図１６のプリント注文画面３４で入力されたプリントサイズ、プリント枚数に加え、プリント注文日時、ステップＳ４０５で読み出された出力用情報記憶媒体１５１ａの識別情報を含んでいる。また、ステップＳ４０４でクレジットカードによる決済が行われた場合、プリント注文に課金処理済みの情報が付加される。
【０１６３】
ステップＳ４０７では、ネット接続部２６により、ステップＳ４０６で生成されたプリント注文がネットワークＮを介してプリント受付サーバ３に送信され、プリント受付サーバ３のプリント注文記憶手段３１１に記憶される。
【０１６４】
なお、図１５に示したフローチャートでは、プリント注文をネットワークＮを介してプリント受付サーバ３に送信する形態としているが、これに加えて、画像再生装置２に接続された図示しないプリンタを用いて、画像データのプリントを行うことも可能である。
【０１６５】
例えば、予め出力用情報記憶媒体１５１ａの所定領域（例えば、図６のアプリケーション格納フォルダ１８４）にプリント用プログラムが格納されており、画像再生装置２のリモコン２５によりローカルプリント処理を指示する操作により、該プリント用プログラムが制御部２０に読み出され、出力用情報記憶媒体１５１ａの識別情報や書き込まれた画像のサムネイル画像がプリントされたラベルシールが図示しないプリンタによりプリントされる。プリントされたラベルシールは出力用情報記憶媒体１５１ａに貼付されるようになっており、出力用情報記憶媒体１５１ａと同梱された状態で頒布されていれば、ユーザが出力用情報記憶媒体１５１ａの識別を確実に行えるようになって、好ましい。
【０１６６】
プリント装置４におけるプリント処理について、図１８を用いて説明する。図１８は、プリント装置４により実行されるプリント処理の流れを示すフローチャートである。なお、図１８のフローチャートは、プリント装置４のデータ入力部４６に出力用情報記憶媒体１５１ａが装填された状態である。
【０１６７】
ステップＳ５０１では、プリント装置４のデータ入力部４６により、出力用情報記憶媒体１５１ａに記憶された出力用情報記憶媒体１５１ａの識別情報（図６のＩＤ．ｔｘｔ）が読み出される。
【０１６８】
ステップＳ５０２では、プリント注文読み出し手段４０１により、ステップＳ５０１で読み出された識別情報が、ネット接続部４５によりネットワークＮを介してプリント受付サーバ３に送信され、プリント受付サーバ３では、プリント注文検索手段３０１によりプリント注文記憶手段３１１に当該識別情報と対応するプリント注文が検索される。
【０１６９】
ステップＳ５０３では、プリント注文読み出し手段４０１により、ステップＳ５０２でプリント受付サーバ３においてプリント注文が検索された結果、プリント受付サーバ３から送信された、識別情報に対応するプリント注文が読み出されたか否かが判断される。プリント注文が読み出されたと判断されると（ステップＳ５０３；ＹＥＳ）、ステップＳ５０５の処理が実行され、プリント注文が読み出されない、すなわちプリント受付サーバ３には装填された出力用情報記憶媒体１５１ａの識別情報に対応するプリント注文がないと判断されると（ステップＳ５０３；ＮＯ）、ステップＳ５０４の処理が実行される。
【０１７０】
ステップＳ５０４では、操作表示部４４に図１６に示したようなプリント注文受付画面が表示され、プリントする画像の選択及び選択された画像のプリント注文内容の入力が行われ、プリント注文が生成される。
【０１７１】
ステップＳ５０５では、プリント注文に記述された、プリントの対象となる画像データが出力用情報記憶媒体１５１ａから読み出される。
【０１７２】
ステップＳ５０６では、プリント部４１により、プリント注文に従って、ステップＳ５０５で読み出された画像データのプリントが実行される。
【０１７３】
ステップＳ５０７では、コインマシン４３により、ステップＳ５０６で実行されたプリントの料金決済が行われ、処理が終了される。なお、プリント注文処理において、料金決済が完了している場合は、プリント注文に課金処理済み情報が含まれているので、ステップＳ５０７の処理は実行されない。
【０１７４】
なお、本実施の形態において、情報処理装置として画像再生装置を例にとり説明したが、ネットワークに接続されたコンピュータやプリント装置（例えばキオスク端末）等の情報処理装置に対しても適用可能である。
【０１７５】
また、本発明の目的は前述した実施形態の機能を実現するソフトウェアのプログラムコードを記録した記憶媒体を、システムあるいは装置に供給し、そのシステムあるいは装置のコンピュータ（ＣＰＵ若しくはＭＰＵ）が記憶媒体に格納されたプログラムコードを読み出し実行することによっても、達成されることは言うまでもない。
【０１７６】
この場合、記憶媒体から読み出されたプログラムコード自体が前述した実施形態の機能を実現することになり、そのプログラムコードを記憶した記憶媒体は本発明を構成することになる。
【０１７７】
プログラムコードを供給するための記憶媒体としては、例えばフロッピー（登録商標）ディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【０１７８】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部又は全部を行い、その処理によって前述した実施形態の機能が実現される場合も含まれることは言うまでもない。
【０１７９】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれることは言うまでもない。
【０１８０】
その他、画像データ記録再生システムを構成する各構成の細部構成及び細部動作に関しても、本発明の趣旨を逸脱することのない範囲で適宜変更可能である。
【図面の簡単な説明】
【０１８１】
【図１】本発明に係る画像再生装置を適用した画像データ記録再生システムのシステム構成を示す模式図である。
【図２】図１の画像データ記録再生システムにおける入力データ記録装置の機能的構成を概念的に示すブロック図である。
【図３】入力データ記録装置の構成を模式的に示す斜視図である。
【図４】入力データ記録装置で行われる出力用情報記憶媒体作成処理の流れを示すフローチャートである。
【図５】入力データ記録装置の表示部に表示される画面の構成例を示す図である。
【図６】出力用情報記憶媒体のフォルダ構成例を示した図である。
【図７】図２のスキャナ及び入力データ記録装置により行われるアルバム画像スキャン処理の流れを示すフローチャートである。
【図８】出力用情報記憶媒体に書き込まれたスライドデータの一例を模式的に示した図である。
【図９】本発明に係る画像再生装置の機能的構成を概念的に示すブロック図である。
【図１０】図９のリモコンを示す概略構成図である。
【図１１】画像再生装置により実行されるスライドショー再生処理の流れを示すフローチャートである。
【図１２】画像再生装置に接続された表示装置に表示されるリモコン設定画面の構成例を示す図である。
【図１３】図１の画像データ記録再生システムにおけるプリント受付サーバの機能的構成を概念的に示すブロック図である。
【図１４】図１の画像データ記録再生システムにおけるプリント装置の機能的構成を概念的に示すブロック図である。
【図１５】画像再生装置により実行されるプリント発注処理の流れを示すフローチャートである。
【図１６】画像再生装置に接続された表示装置に表示されるプリント注文画面の構成例を示す図である。
【図１７】画像再生装置に接続された表示装置に表示される注文内容確認画面の構成例を示す図である。
【図１８】プリント装置により実行されるプリント処理の流れを示すフローチャートである。
【符号の説明】
【０１８２】
１  データ入力記録装置
２  画像再生装置
２５  リモコン
３  プリント受付サーバ
４  プリント装置
５  楽曲サーバ
６  スキャナ
Ｎ  ネットワーク
【図１】
2005341206.tif 000003
【図２】
2005341206.tif 000004
【図３】
2005341206.tif 000005
【図４】
2005341206.tif 000006
【図５】
2005341206.tif 000007
【図６】
2005341206.tif 000008
【図７】
2005341206.tif 000009
【図８】
2005341206.tif 000010
【図９】
2005341206.tif 000011
【図１０】
2005341206.tif 000012
【図１１】
2005341206.tif 000013
【図１２】
2005341206.tif 000014
【図１３】
2005341206.tif 000015
【図１４】
2005341206.tif 000016
【図１５】
2005341206.tif 000017
【図１６】
2005341206.tif 000018
【図１７】
2005341206.tif 000019
【図１８】
2005341206.tif 000020